(57)【要約】【課題】    手袋状の洗浄用具について、耐久性を向上し衛生的にも優れ、更に便利で使い易いものとした洗浄用具を提供することを課題とする。【解決手段】  網状生地から成る外層２と、布帛から成る中層３と、柔軟性多孔質体から成る内層４と、の３層構造とした積層体をミトン形手袋状の形態に形成し手袋形洗浄用具１を構成する。外層２の網状生地は硬質で可撓性を有し耐摩耗性に優れる合成繊維製とし、中層３の布帛は押圧された外層２を窪んで保持する柔軟性を有し水切り性に優れる天然繊維製または合成繊維製とし、内層４の柔軟性多孔質体は弾発性に優れる連続発泡の合成樹脂製とする。【選択図】図１
0003151259.tif 000002
【実用新案登録請求の範囲】
【請求項１】
手袋形の洗浄用具であって、網状生地から成る外層と、布帛から成る中層と、柔軟性多孔質体から成る内層と、の３層構造とした積層体を手袋状の形態に形成したものである手袋形洗浄用具。
【請求項２】
全体形状をミトン形手袋状の形態に形成したものである請求項１に記載の手袋形洗浄用具。
【請求項３】
使用者の掌側指先部に対応する部位にのみ柔軟性多孔質体の内層を備えたものである請求項１または請求項２の何れかに記載の手袋形洗浄用具。
【請求項４】
外層の網状生地は硬質で可撓性を有し耐摩耗性に優れる合成繊維製とし、中層の布帛は押圧された外層を窪んで保持する柔軟性を有し水切り性に優れる天然繊維製または合成繊維製とし、内層の柔軟性多孔質体は弾発性に優れる連続発泡の合成樹脂製としたものである請求項１乃至請求項３の何れかに記載の手袋形洗浄用具。
【請求項５】
掌面と甲面とを面対称に扁平させて畳んだ状態において、使用者の手を挿抜する開口部の巾中央に位地する部位に吊下げ紐を固着して備えたものである請求項１乃至請求項４の何れかに記載の手袋形洗浄用具。
【請求項６】
使用者の手を挿抜する開口部に、略環状の形状を自己保持する弾発性素材から成る吊下げ紐を備えたものである請求項１乃至請求項５の何れかに記載の手袋形洗浄用具。
【考案の詳細な説明】
【技術分野】
【０００１】  本考案は、主に食器や食物用容器などの什器類や種々の調理器具などを洗浄するために使用する洗浄用具に関するものである。
より詳しくは、家庭の台所あるいは各種の炊事場や調理場などにおいて、汚れた什器や調理器具を水や洗剤にて洗浄し濯ぐなどの際に使用する擦り洗いのための用具について、特に使用者の手に装着して用いるように全体形状を手袋状とした洗浄用具の構造に関するものである。
【背景技術】
【０００２】  従来、什器や調理器具の洗浄用具については永く雑巾や布巾などが用いられてきたが、近年ではスポンジが多く用いられており、更にスポンジを網目状の生地で被覆したものも多く用いられている。これらスポンジや網目状の生地には種々工夫がなされ、様々な形状や材質のものが多くあり、更にはスポンジを手袋状に形成したものも使用されている。
尚、ゴム製あるいは合成樹脂製の手袋の類については、什器や調理器具を直接に擦り洗うためのものでは凡そなく、冷たい水や熱い湯および汚れや洗剤から手指を保護することを主目的とした防水仕様のものである。
【考案の概要】
【考案が解決しようとする課題】
【０００３】  上述したようなスポンジあるいはスポンジを網目状の生地で被覆した洗浄用具にあっては、洗浄力が強く保水性にも優れるほか種々の工夫により使い易いものとなっているが、しかし、以下に示すような不具合もあった。
即ち、スポンジは柔軟性に富む連続発泡体であるため汚れが付着し易く、更には汚れが内部まで浸透して残留し不衛生であり、また、見た目にも醜く好ましくない状態となる。更に、耐摩耗性に劣るほか変形したり破損し易いものであることから、その寿命は短いものであった。手袋状に形成したスポンジは什器などの細かい部分も洗い易く、物を掴むこともできるなど便利で使い易いものであるが、やはりスポンジであることの不具合は同様である。一方、スポンジを網目状の生地で被覆したものは洗浄力が強く、網目状の生地の耐摩耗性により寿命も長く優れたものであるが、やはり網目を通過してスポンジに汚れが付着し浸透することは同様である。また、網目状の生地が柔らかいスポンジで支持されて什器などに押圧され擦られることから無駄な動きを伴い、本来の機能を損なうほか破断してしまうことも少なくない。【０００４】  本考案は、上述のような現状に鑑みて成されたものであり、手袋状の洗浄用具について耐久性を向上し衛生的にも優れ、更に便利で使い易いものとした洗浄用具を提供することを課題とするものである。
【課題を解決するための手段】
【０００５】  上記のような課題を解決するために、本考案の手袋形洗浄用具は、網状生地から成る外層と、布帛から成る中層と、柔軟性多孔質体から成る内層と、の３層構造とした積層体を手袋状の形態に形成することを基本としたものである。
更に全体形状をミトン形手袋状の形態に形成するほか、使用者の掌側指先部に対応する部位にのみ柔軟性多孔質体の内層を備えることとするものである。また、外層の網状生地は硬質で可撓性を有し耐摩耗性に優れる合成繊維製とし、中層の布帛は押圧された外層を窪んで保持する柔軟性を有し水切り性に優れる天然繊維製または合成繊維製とし、内層の柔軟性多孔質体は弾発性に優れる連続発泡の合成樹脂製とするものである。また更には、掌面と甲面とを面対称に扁平させて畳んだ状態において、使用者の手を挿抜する開口部の巾中央に位地する部位に吊下げ紐を固着して備えることとするほか、吊下げ紐は略環状の形状を自己保持する弾発性素材から成るものとするものである
【考案の効果】
【０００６】  本考案の手袋形洗浄用具は、このような構成としたことにより耐久性を向上し衛生的にも優れるなど、より便利で使い易いものとすることができる。
即ち、網状生地から成る外層は極めて耐摩耗性の高いものであり、その表面は凹凸状の形状を成し直接に什器などの表面を擦るため高い洗浄力が得られる。布帛から成る中層は全体の骨格的中心となり、外層および内層を支持すると共に手指を強力に保護する。柔軟性多孔質体から成る内層は保水性に富み洗浄効果を高めると共に、外層および中層に加わる外部からの力を大幅に緩衝する。
更に、全体をミトン形状とした場合には、細かい部分も洗い易く必要十分に物を掴むこともできるなど便利で使い易く、併せて製造コストを低く抑えることができる。
使用者の掌側指先部に対応する部位にのみ柔軟性多孔質体の内層を備える場合には、全体の厚みが薄くなると共に柔軟性が高まりしなやかとなり、手に良く馴染み手指の動きを効率化することができる。また、最も酷使する指先部分を柔軟に補強することができる。
外層の網状生地を硬質で可撓性を有し耐摩耗性に優れる合成繊維製とした場合には、洗浄力と耐久性を格段に向上させることができる。中層の布帛を、押圧された外層を窪んで保持する柔軟性を有し水切り性に優れる天然繊維製または合成繊維製とした場合には、外層の無駄な動きをより強力に抑制し外層本来の機能を発揮させると共に破断を防止することができ、また、手指を一層強力に保護することができるほか、内部に浸透した水を外部へ排除し易くすることができる。内層の柔軟性多孔質体を弾発性に優れる連続発泡の合成樹脂製とした場合には、更に保水性が高まると共に外層および中層に加わる外部からの力を一層強力に緩衝することができる。
掌面と甲面とを面対称に扁平させて畳んだ状態において、使用者の手を挿抜する開口部の巾中央に位地する部位に吊下げ紐を固着して備えた場合には、洗浄作業の際に邪魔にならないほか、この吊下げ紐にて吊るした際に手袋形洗浄用具の先端部が最下部となり水平方向に占める横幅を最小とし、邪魔にならずに乾燥および保管することができる。
使用者の手を挿抜する開口部に、略環状の形状を自己保持する弾発性素材から成る吊下げ紐を備えた場合には、何らかの物に吊下げ紐を引掛ける際に確実性が増し利便性を高めることができる。
【図面の簡単な説明】
【０００７】
【図１】  （ａ）（ｂ）（ｃ）は本考案の実施例を示すものであり、（ａ）は手袋形洗浄用具１の掌面を示す平面図、（ｂ）は甲面を示す平面図、（ｃ）は（ａ）に示すＡ−Ａ矢視の拡大断面図である。
【図２】  （ａ）（ｂ）（ｃ）は本考案の他の実施例を示すものであり、（ａ）は手袋形洗浄用具７の甲面を示す平面図、（ｂ）は（ａ）に示すＢ−Ｂ矢視の拡大断面図、（ｃ）は（ａ）に示すＣ−Ｃ矢視の拡大断面図である。
【考案を実施するための最良の形態】
【０００８】
【実施例】
【０００９】  本考案の実施例を以下、図面に基づいて説明する。尚、各図において共通する部分には同一の符号を付し重複する説明は省略する。
図１（ａ）（ｂ）（ｃ）は本考案の実施例を示すものであり、（ａ）は手袋形洗浄用具１の掌面を示す平面図、（ｂ）は甲面を示す平面図、（ｃ）は（ａ）に示すＡ−Ａ矢視の拡大断面図である。【００１０】  手袋形洗浄用具１は図１（ｃ）に示すように、網状生地から成る外層２と、布帛から成る中層３と、柔軟性多孔質体から成る内層４と、の３層構造とした積層体をミトン形手袋状の形態に形成したものである。手袋状の形状としては例えば５本指とすることも可能ではあるが、洗浄効率や製造上のコスト優位性および手指の挿抜容易性などを考慮すると、親指と他４本の指とを分離したミトン形の形状がより好ましい。【００１１】  外層２の網状生地の材質は、洗浄する対象に応じて適宜に各種の天然繊維あるいは合成繊維とすることができるが、この外層２は什器や調理器具などの表面を直接に擦り汚れを掻き取るものであり、このため特に硬質で可撓性を有し耐摩耗性にも優れる合成繊維とすることが望ましい。
また、網目の寸法および繊維や糸の太さ、網目の形状や編み方などには種々のものがあり、洗浄する対象に応じて適宜に設定することができるが、各種の什器や調理器具および汚れの種類や汚れの付着状況などに共通して用いることができるようなものとすることも好ましい。【００１２】  中層３の布帛の材質は適宜に各種の天然繊維あるいは合成繊維とすることができるが、この中層３は全体の骨格的中心となり、外層２および内層４を支持すると共に手指を保護するものであり、柔軟性を有し水切り性に優れる天然繊維製または合成繊維製とすることが好ましい。また、この中層３も外層２の網目を通して直接に什器などの表面を擦り洗浄するものであり、適度の強度と耐久性を備えることが望ましい。
ここで、中層３が外層２を支持するということについて説明すると、什器などの表面に押圧された外層３を中層３が適度に窪んで受止め、高まった互いの摩擦力にて外層２と中層３の相対移動を抑制するということである。このため中層３はこれに適した程度の柔軟性があるものとすることが望ましい。
また、中層３が内層４を支持するということについて説明すると、内層４は柔軟性に富む多孔質体であり押圧されると変形するものであるが、中層３と内層４との互いの摩擦力あるいは互いに接合し固定した構造とし内層４と中層３の相対移動を抑制するということである。このため中層３は適度の強度を有する布帛とすることが好ましく、これは併せて手指の保護のためにも好ましいものである。
更に、中層３は洗浄作業の際には内層４が含むべき水や洗剤を通過させると共に、手袋形洗浄用具１を乾燥させる際には内層４から排出されるべき水や洗剤を通過させるものであり、このため中層３は水切り性に優れるものとすることが望ましい。【００１３】  内層４の柔軟性多孔質体の材質は、適宜に各種の天然素材あるいは合成素材とすることができるが、この内層４は洗浄作業の際に水や洗剤を含みクッション性を有し併せて手指を保護する例えば海綿やスポンジの類のものである。保水性やクッション性および耐久性などを考慮すると、特に弾発性に優れる連続発泡の合成樹脂製とすることが好ましい。
ここで、内層４が具備すべき物性あるいは形質について更に説明すると、保水性および柔軟性やクッション性に富み併せて耐久性や水切り性にも優れるものということであり、これらを矛盾なく満足する必要がある。このため特に弾発性に優れる連続発泡の合成樹脂製とすることが好ましいのである。この弾発性に優れる合成樹脂製の柔軟性多孔質体である例えばスポンジは、比較的硬度が高く柔軟性にやや劣るが、一策として目を粗めとし厚さ寸法を薄く構成すれば全体的に柔軟性を高めることができ、より好ましいものとなる。【００１４】  これら外層２、中層３、内層４は図１に示すように各々が一体の袋状となっているが、例えば掌面と甲面とを別個に構成して面対称に重ね合わせた状態において、開口部６を除く縁部を縫合して両者を接合し固定することも強度が向上して好ましい。
また、前述のように中層３と内層４は相対移動を抑制するため互いに接着などして接合し固定することがより好ましい。
外層２と中層３も縁部のみではなく、例えば全部あるいは一部において互いに縫合して接合し固定することも洗浄力と耐久性を高めることができ好ましい。【００１５】  図１（ａ）（ｂ）中に示す５は吊下げ紐であり、掌面と甲面とを面対称に扁平させて畳んだ状態において、使用者の手を挿抜する開口部６の巾中央に位地する部位に固着して備えたものである。このように構成することにより、洗浄作業の際に邪魔にならないほか、この吊下げ紐にて手袋形洗浄用具１を吊るした際には、その先端部が最下部となり水平方向に占める横幅を最小とし、台所や各種の炊事場や調理場などにおいて邪魔にならずに乾燥および保管することができる。
この吊下げ紐５については適宜に種々の材質および形状や寸法とすることができるが、特に、略環状の形状を自己保持する弾発性素材から成るものとした場合には、常に略環状の紐が開いた状態となり、何らかの物に吊下げ紐５を引掛ける際に確実性が増し、利便性を高めることができる。【００１６】  図２（ａ）（ｂ）（ｃ）は本考案の他の実施例を示すものであり、（ａ）は手袋形洗浄用具７の甲面を示す平面図、（ｂ）は（ａ）に示すＢ−Ｂ矢視の拡大断面図、（ｃ）は（ａ）に示すＣ−Ｃ矢視の拡大断面図である。【００１７】  手袋形洗浄用具７は、網状生地から成る外層２と、布帛から成る中層３と、柔軟性多孔質体から成る内層４と、の３層構造とした積層体をミトン形手袋状の形態に形成したものであり、基本的に先の実施例と同様のものであるが、図２（ｂ）（ｃ）に示すように使用者の掌側指先部に対応する部位にのみ柔軟性多孔質体の内層４を備えたものである。
このような構成とすることにより、全体の厚みが薄くなると共に柔軟性が高まりしなやかとなり、手に良く馴染んで手指の動きを効率化することができる。また、最も酷使する指先の部分を柔軟に補強することができる。【００１８】  外層２、中層３、内層４および吊下げ紐５は、その材質や物性あるいは形質なども先の実施例と基本的に同様であるが、内層４を備える部位は適宜に設定することができ、例えば親指部のみ、あるいは他の４本指部のみとすることも可能であり、洗浄する対象に応じて設定することも好ましい。【００１９】  尚、本考案の手袋形洗浄用具の全体の大きさ寸法については、例えば比較的大型として大人用としたり、比較的小型として子供用とするなど適宜に設定することができるほか、共用寸法として活用することも好ましい。また、右利き用あるいは左利き用とすることも可能である。【００２０】  ここで、本考案の手袋形洗浄用具の各部に用いる材料を具体的に説明するが、以下に示すのは特に最適あるいは限定とするものではなく、参考例である。寧ろ、本考案の手袋形洗浄用具は種々の洗浄対象に応じて適宜な材料を組合せて構成し用いる事が重要である。
外層２の網状生地については、例えば綿、絹、麻などの天然繊維や、ナイロン（登録商標）、ポリエステル、ビニロン（登録商標）、ポリプロピレン、ポリエチレンなどの合成繊維が利用可能であるが、硬質で可撓性を有し耐摩耗性に優れる合成繊維製が好ましい。
尚、編み方については結節型あるいは無結節型その他のものがあるが、特に硬く焼結したような汚れを洗浄するためには結び目のある結節型が好適である。
中層３の布帛については、例えば綿、絹、麻などの天然繊維や、ナイロン（登録商標）、アクリル、ポリエステルなど多くの合成繊維が利用可能であるが、柔軟性、水切り性、強度からすると天然繊維では絹が比較的優れており、合成繊維ではナイロン（登録商標）やポリエステルが比較的優れている。尚、布帛は織布および不織布を含むものである。
内層４の柔軟性多孔質体については、例えばモクヨクカイメン類由来の天然海綿、セルロースなどの天然素材や、各種ゴム、ウレタン、オレフィン、ポリエチレン、ポリビニルアルコールなどの合成素材が利用可能であるが、弾発性に優れる連続発泡の合成樹脂製としてはポリウレタンやポリビニルアルコールが比較的優れている。
吊下げ紐５については、例えばナイロン（登録商標）、ポリエステル、ビニロン（登録商標）、ポリプロピレン、ポリエチレンなどの合成繊維が利用可能であるが、常に略環状を保つように弾発性に優れるナイロン（登録商標）やポリプロピレンが好都合である。
これらの材料には他にも極めて多くの種類があり、本考案の手袋形洗浄用具は適宜これらの組合わせを妙として構成し用いる事が重要である。
【産業上の利用可能性】
【００２１】  本考案の手袋形洗浄用具は以上の説明の如き内容のものであり、洗浄力が極めて高く、耐久性にも優れ長寿命であり、衛生的で使い易いものである。
洗浄に使用する洗剤は内層の柔軟性多孔質体に長時間保持され無駄に流出しないため、少量でも十分な泡立ちと洗浄力を発揮することができ経済的である。また、汚れの色素が沈着し易い柔軟性多孔質体は内部に備えるため外観を美しく保つことができる。
開口部を広く設定すれば手指の挿抜が迅速となり他の作業の効率も向上し、狭く設定すれば機敏な動きにも脱げ難く大量の洗浄作業の効率も向上する。
手指を強力に保護し什器や調理器具による怪我を未然に防止して安全に洗浄作業を行なうことができる。
本考案の手袋形洗浄用具は、このような特徴を併せ持つものであり、一般家庭の台所に留まらず産業用の各種炊事場や調理場などにおいても極めて有用なものである。
【符号の説明】  １、７    手袋形洗浄用具
２        外層
３        中層
４        内層
５        吊下げ紐
６        開口部
【図１】
0003151259.tif 000003
【図２】
0003151259.tif 000004